(57)【特許請求の範囲】
【請求項１】
第１の基地局が自己同期するための方法であって、
第２の基地局から同期情報を受信することと、
前記受信された同期情報を使用して前記第２の基地局と同期することと、
を備え、
前記同期情報は、モビリティ管理エンティティ（ＭＭＥ）を介して受信され、前記同期情報は、同期ストラタム情報を備える、方法。
【請求項２】
前記同期情報が同期ステータス情報を備える、請求項１に記載の方法。
【請求項３】
１つまたは複数の基地局から同期情報を受信することであって、前記第２の基地局が前記１つまたは複数の基地局の一部である、同期情報を受信することと、
前記１つまたは複数の基地局の各々についてストラタムを判断することであって、各同期情報がストラタムを備える、ストラタムを判断することと、
最低ストラタムを有する前記第２の基地局を同期基地局として選択することと、
をさらに備える、請求項１に記載の方法。
【請求項４】
前記１つまたは複数の基地局の各々についてストラタムを判断することが、前記１つまたは複数の基地局の各々と全地球測位システム（ＧＰＳ）サーバとの間の中間同期ノードの数を判断することを備える、請求項３に記載の方法。
【請求項５】
前記第２の基地局の前記ストラタムに基づいて、前記第１の基地局について現在ストラタムを判断することをさらに備える、請求項３に記載の方法。
【請求項６】
協調沈黙期間中に送信を停止することをさらに備え、前記協調沈黙期間が前記同期情報を使用して協調させられ、前記協調沈黙期間が、同期情報を送信するために、前記現在ストラタムよりも小さいストラタムを有する基地局のために指定されたスロットを指す、請求項５に記載の方法。
【請求項７】
前記協調沈黙期間が、同期のための信号対干渉雑音比（ＳＩＮＲ）を改善するために観測される、請求項６に記載の方法。
【請求項８】
協調沈黙期間中に前記現在ストラタムを送信することをさらに備え、前記協調沈黙期間が、同期信号を送信するために前記現在ストラタムに等しいかまたはそれよりも小さいストラタムを有する基地局のために設計されたスロットを指す、請求項５に記載の方法。
【請求項９】
前記同期情報が１つまたは複数の基地局からワイヤレスに受信される、請求項１に記載の方法。
【請求項１０】
前記同期情報がシステム情報メッセージ中で搬送される、請求項９に記載の方法。
【請求項１１】
前記同期情報がマスタ情報ブロック（ＭＩＢ）を通して搬送される、請求項９に記載の方法。
【請求項１２】
前記同期情報がシステム情報ブロック（ＳＩＢ）を通して搬送される、請求項９に記載の方法。
【請求項１３】
前記第２の基地局のストラタムが前記ＭＩＢの予約済みビット中で搬送される、請求項９に記載の方法。
【請求項１４】
前記同期情報が、ロングタームエボリューション（ＬＴＥ）において使用される物理ダウンリンク制御チャネル（ＰＤＣＣＨ）上でシグナリングされる、請求項９に記載の方法。
【請求項１５】
前記同期情報が、ロングタームエボリューション（ＬＴＥ）において使用される物理ダウンリンク共有チャネル（ＰＤＳＣＨ）上でシグナリングされる、請求項９に記載の方法。
【請求項１６】
前記同期情報がモビリティ管理エンティティ（ＭＭＥ）に記憶される、請求項１に記載の方法。
【請求項１７】
前記同期情報がバックホールを介して１つまたは複数の基地局から受信される、請求項１に記載の方法。
【請求項１８】
前記同期情報がＳ１インターフェースを介してシグナリングされる、請求項１７に記載の方法。
【請求項１９】
前記同期情報がＸ２インターフェースを介してシグナリングされる、請求項１７に記載の方法。
【請求項２０】
前記同期情報がホーム進化型ノードＢ（ＨｅＮＢ）管理サーバ（ＨＭＳ）に記憶される、請求項１７に記載の方法。
【請求項２１】
前記受信された同期情報を使用して前記第２の基地局と同期することが、前記同期基地局のタイミングに一致するように前記基地局のタイミングを調整することを備える、請求項１に記載の方法。
【請求項２２】
前記同期基地局の前記同期情報を周期的に監視することをさらに備える、請求項１に記載の方法。
【請求項２３】
前記第１の基地局がマクロ基地局である、請求項１に記載の方法。
【請求項２４】
前記第１の基地局がホーム進化型ノードＢ（ＨｅＮＢ）である、請求項１に記載の方法。
【請求項２５】
前記同期基地局がマクロ基地局である、請求項１に記載の方法。
【請求項２６】
前記同期基地局がホーム進化型ノードＢ（ＨｅＮＢ）である、請求項１に記載の方法。
【請求項２７】
前記同期情報が１次同期信号（ＰＳＳ）に結合される、請求項１に記載の方法。
【請求項２８】
前記同期情報が２次同期信号（ＳＳＳ）に結合される、請求項１に記載の方法。
【請求項２９】
第１の基地局が同期情報を搬送するための方法であって、
現在ストラタムを判断することと、
前記現在ストラタムに基づいて第１の協調沈黙期間と第２の協調沈黙期間とを判断することと、
前記第１の協調沈黙期間中に同期情報を送信することと、
を備え、
前記同期情報は、モビリティ管理エンティティ（ＭＭＥ）に、または、ホーム進化型ノードＢ（ＨｅＮＢ）管理サーバ（ＨＭＳ）に記憶される、方法。
【請求項３０】
前記第２の協調沈黙期間中に送信を停止することをさらに備える、請求項２９に記載の方法。
【請求項３１】
前記同期情報が同期ストラタム情報を備える、請求項２９に記載の方法。
【請求項３２】
前記同期情報が同期ステータス情報を備える、請求項２９に記載の方法。
【請求項３３】
前記同期情報が１つまたは複数の基地局からワイヤレスに受信される、請求項２９に記載の方法。
【請求項３４】
前記同期情報がシステム情報メッセージ中にある、請求項３３に記載の方法。
【請求項３５】
前記同期情報がマスタ情報ブロック（ＭＩＢ）を通して搬送される、請求項３３に記載の方法。
【請求項３６】
前記同期情報がシステム情報ブロック（ＳＩＢ）を通して搬送される、請求項３３に記載の方法。
【請求項３７】
前記第２の基地局のストラタムが前記ＭＩＢの予約済みビット中で搬送される、請求項３３に記載の方法。
【請求項３８】
前記同期情報が、ロングタームエボリューション（ＬＴＥ）において使用される物理ダウンリンク制御チャネル（ＰＤＣＣＨ）上でシグナリングされる、請求項３３に記載の方法。
【請求項３９】
前記同期情報が、ロングタームエボリューション（ＬＴＥ）において使用される物理ダウンリンク共有チャネル（ＰＤＳＣＨ）上でシグナリングされる、請求項３３に記載の方法。
【請求項４０】
自己同期のために構成されたワイヤレスデバイスであって、
プロセッサと、
前記プロセッサと電子通信しているメモリと、
前記メモリに記憶された命令であって、前記命令が、
第２の基地局から同期情報を受信することと、
前記受信された同期情報を使用して前記第２の基地局と同期することと、
を行うように前記プロセッサによって実行可能である命令と、
を備え、
前記同期情報は、モビリティ管理エンティティ（ＭＭＥ）を介して受信され、前記同期情報は、同期ストラタム情報を備える、ワイヤレスデバイス。
【請求項４１】
前記同期情報が同期ステータス情報を備える、請求項４０に記載のワイヤレスデバイス。
【請求項４２】
前記命令が、
１つまたは複数の基地局から同期情報を受信することであって、前記第２の基地局が前記１つまたは複数の基地局の一部である、同期情報を受信することと、
前記１つまたは複数の基地局の各々についてストラタムを判断することであって、各同期情報がストラタムを備える、ストラタムを判断することと、
最低ストラタムを有する前記第２の基地局を同期基地局として選択することと、
を行うようにさらに実行可能である、請求項４０に記載のワイヤレスデバイス。
【請求項４３】
前記１つまたは複数の基地局の各々についてストラタムを判断することが、前記１つまたは複数の基地局の各々と全地球測位システム（ＧＰＳ）サーバとの間の中間同期ノードの数を判断することを備える、請求項４２に記載のワイヤレスデバイス。
【請求項４４】
前記命令が、前記第２の基地局の前記ストラタムに基づいて前記第１の基地局について現在ストラタムを判断するようにさらに実行可能である、請求項４２に記載のワイヤレスデバイス。
【請求項４５】
前記命令が、協調沈黙期間中に送信を停止するようにさらに実行可能であり、前記協調沈黙期間が前記同期情報を使用して協調させられ、前記協調沈黙期間が、同期情報を送信するために、前記現在ストラタムよりも小さいストラタムを有する基地局のために指定されたスロットを指す、請求項４４に記載のワイヤレスデバイス。
【請求項４６】
同期情報を搬送するために構成されたワイヤレスデバイスであって、
プロセッサと、
前記プロセッサと電子通信しているメモリと、
前記メモリに記憶された命令であって、前記命令が、
現在ストラタムを判断することと、
前記現在ストラタムに基づいて第１の協調沈黙期間と第２の協調沈黙期間とを判断することと、
前記第１の協調沈黙期間中に同期情報を送信することと、
を行うように前記プロセッサによって実行可能である命令と、
を備え、
前記同期情報は、モビリティ管理エンティティ（ＭＭＥ）に、または、ホーム進化型ノードＢ（ＨｅＮＢ）管理サーバ（ＨＭＳ）に記憶される、ワイヤレスデバイス。
【請求項４７】
自己同期のために構成されたワイヤレスデバイスであって、
基地局から同期情報を受信するための手段と、
前記受信された同期情報を使用して前記基地局と同期するための手段と、
を備え、
前記同期情報は、モビリティ管理エンティティ（ＭＭＥ）を介して受信され、前記同期情報は、同期ストラタム情報を備える、ワイヤレスデバイス。
【請求項４８】
命令を記憶したコンピュータ可読記憶媒体であって、前記命令は、
第２の基地局から同期情報を受信するためのコードと、
前記受信された同期情報を使用して前記第２の基地局と同期するためのコードと、
を記憶し、
前記同期情報は、モビリティ管理エンティティ（ＭＭＥ）を介して受信され、前記同期情報は、同期ストラタム情報を備える、コンピュータ可読記憶媒体。
【請求項４９】
同期情報を搬送するために構成されたワイヤレスデバイスであって、
現在ストラタムを判断するための手段と、
前記現在ストラタムに基づいて第１の協調沈黙期間と第２の協調沈黙期間とを判断するための手段と、
前記第１の協調沈黙期間中に同期情報を送信するための手段と、
を備え、
前記同期情報は、モビリティ管理エンティティ（ＭＭＥ）に、または、ホーム進化型ノードＢ（ＨｅＮＢ）管理サーバ（ＨＭＳ）に記憶される、ワイヤレスデバイス。
【請求項５０】
第１の基地局の自己同期のための、命令を記憶したコンピュータ可読記憶媒体であって、前記命令は、
現在ストラタムを判断するためのコードと、
前記現在ストラタムに基づいて第１の協調沈黙期間と第２の協調沈黙期間とを判断するためのコードと、
前記第１の協調沈黙期間中に同期情報を送信するためのコードと、
を記憶し、
前記同期情報は、モビリティ管理エンティティ（ＭＭＥ）に、または、ホーム進化型ノードＢ（ＨｅＮＢ）管理サーバ（ＨＭＳ）に記憶される、コンピュータ可読記憶媒体。
【発明の詳細な説明】
【関連出願】
【０００１】
本出願は、「Methods And Apparatus For Conveying Synchronization Stratum Information」と題する２００９年４月８日に出願された米国特許仮出願第６１／１６７，６５２号に関し、その優先権を主張する。
【技術分野】
【０００２】
本開示は、一般にワイヤレス通信システムに関する。より詳細には、本開示は、同期ストラタム情報を搬送するためのシステムおよび方法に関する。
【背景技術】
【０００３】
ワイヤレス通信システムは、世界中の多くの人々が通信できるようにするための重要な手段になっている。ワイヤレス通信システムはいくつかの移動局のための通信を提供することができ、各移動局は基地局によってサービスされ得る。
【０００４】
ワイヤレス通信システム中の基地局の各々は同期的に動作し得る。言い換えれば、基地局の各々はクロックを同じソースと同期させ得る。同期的に動作することによって、干渉管理などの改善が達成され得る。
【０００５】
現在所定の位置にあるワイヤレス通信システムに加えて、新しいクラスの小さい基地局が現れた。これらの小さい基地局は、ユーザの自宅に設置されることがあり、既設のブロードバンドインターネット接続を使用して屋内ワイヤレスカバレッジを移動局に与えることがある。一般に、これらの小型基地局は、デジタル加入者回線（ＤＳＬ）ルータまたはケーブルモデムを介してインターネットとモバイルデバイスのネットワークとに接続される。これらの小型基地局を同期させるための改善された方法によって利益が実現され得る。
【発明の概要】
【０００６】
第１の基地局の自己同期のための方法について説明する。同期情報は第２の基地局から受信される。第２の基地局と同期することは、受信された同期情報を使用して実行される。
【０００７】
同期情報は同期ストラタム情報および／または同期ステータス情報を含み得る。同期情報は、１つまたは複数の基地局から受信され得る。第２の基地局は、１つまたは複数の基地局の一部であり得る。１つまたは複数の基地局の各々について、ストラタムが判断され得る。同期情報はストラタムを含み得る。第２の基地局は同期基地局として選択され得る。第２の基地局は最低ストラタムを有し得る。
【０００８】
１つまたは複数の基地局の各々についてストラタムを判断することは、１つまたは複数の基地局の各々と全地球測位システム（ＧＰＳ）サーバとの間の中間同期ノードの数を判断することを含み得る。第２の基地局のストラタムに基づいて、第１の基地局について現在ストラタムが判断され得る。協調沈黙期間（coordinated silence period）中に、送信が停止され得る。協調沈黙期間は、同期情報を使用して協調させられ得る。協調沈黙期間は、同期情報を送信するために現在ストラタムよりも小さいストラタムを有する基地局のために指定されたスロットを指すことがある。
【０００９】
協調沈黙期間は、同期のための信号対干渉雑音比（ＳＩＮＲ）を改善するために観測され得る。現在ストラタムは協調沈黙期間中に送信され得る。協調沈黙期間は、同期信号を送信するために現在ストラタムに等しいかまたはそれよりも小さいストラタムを有する基地局のために設計されたスロットを指すことがある。同期情報は、１つまたは複数の基地局からワイヤレスに受信され得る。同期情報はシステム情報メッセージ中にあり得る。同期情報は、マスタ情報ブロック（ＭＩＢ）またはシステム情報ブロック（ＳＩＢ）を通して搬送され得る。第２の基地局のストラタムは、ＭＩＢの予約済みビット中で搬送され得る。
【００１０】
同期情報は、ロングタームエボリューション(Long Term Evolution)（ＬＴＥ）において使用される物理ダウンリンク制御チャネル（ＰＤＣＣＨ）上でシグナリングされ得る。同期情報はまた、ロングタームエボリューション（ＬＴＥ）において使用される物理ダウンリンク共有チャネル（ＰＤＳＣＨ）上でシグナリングされ得る。同期情報はモビリティ管理エンティティ（ＭＭＥ）に記憶され得る。同期情報は、バックホールを介して１つまたは複数の基地局から受信され得る。同期情報は、Ｓ１インターフェースを介して、またはＸ２インターフェースを介してシグナリングされ得る。同期情報はホーム進化型ノードＢ（ＨｅＮＢ）管理サーバ（ＨＭＳ）に記憶され得る。
【００１１】
受信された同期情報を使用して第２の基地局と同期することは、同期基地局のタイミングに一致するように基地局のタイミングを調整することを含み得る。同期基地局の同期情報は周期的に監視され得る。第１の基地局はマクロ基地局またはホーム進化型ノードＢ（ＨｅＮＢ）であり得る。同期基地局はマクロ基地局またはホーム進化型ノードＢ（ＨｅＮＢ）であり得る。同期情報は１次同期信号（ＰＳＳ）または２次同期信号（ＳＳＳ）に結合され得る。
【００１２】
また、同期情報を搬送するための方法について説明する。現在ストラタムが判断される。第１の協調沈黙期間および第２の協調沈黙期間が、現在ストラタムに基づいて判断される。同期情報は第１の協調沈黙期間中に送信される。
【００１３】
自己同期のために構成されたワイヤレスデバイスについて説明する。ワイヤレスデバイスは、プロセッサと、プロセッサと電子通信しているメモリと、メモリに記憶された命令とを含む。命令は、第２の基地局から同期情報を受信し、受信された同期情報を使用して第２の基地局と同期するようにプロセッサによって実行可能である。
【００１４】
また、同期情報を搬送するために構成されたワイヤレスデバイスについて説明する。ワイヤレスデバイスは、プロセッサと、プロセッサと電子通信しているメモリと、メモリに記憶された命令とを含む。命令は、現在ストラタムを判断するようにプロセッサによって実行可能である。命令はまた、現在ストラタムに基づいて第１の協調沈黙期間と第２の協調沈黙期間とを判断するようにプロセッサによって実行可能である。命令は、さらに、第１の協調沈黙期間中に同期情報を送信するようにプロセッサによって実行可能である。
【００１５】
自己同期のために構成されたワイヤレスデバイスについて説明する。ワイヤレスデバイスは、基地局から同期情報を受信するための手段と、受信された同期情報を使用して基地局と同期するための手段とを含む。
【００１６】
また、第１の基地局の自己同期のためのコンピュータプログラム製品について説明する。本コンピュータプログラム製品は、その上に命令を有するコンピュータ可読媒体を含む。命令は、第２の基地局から同期情報を受信するためのコードと、受信された同期情報を使用して第２の基地局と同期するためのコードとを含む。
【００１７】
同期情報を搬送するために構成されたワイヤレスデバイスについて説明する。ワイヤレスデバイスは、現在ストラタムを判断するための手段を含む。ワイヤレスデバイスはまた、現在ストラタムに基づいて第１の協調沈黙期間と第２の協調沈黙期間とを判断するための手段を含む。ワイヤレスデバイスは、第１の協調沈黙期間中に同期情報を送信するための手段をさらに含む。
【００１８】
また、第１の基地局の自己同期のためのコンピュータプログラム製品について説明する。本コンピュータプログラム製品は、その上に命令を有するコンピュータ可読媒体を含む。命令は、現在ストラタムを判断するためのコードを含む。命令はまた、現在ストラタムに基づいて第１の協調沈黙期間と第２の協調沈黙期間とを判断するためのコードを含む。命令は、第１の協調沈黙期間中に同期情報を送信するためのコードをさらに含む。
【図面の簡単な説明】
【００１９】
【図１】図１は、複数のワイヤレスデバイスをもつワイヤレス通信システム１００を示す図である。
【図２】図２は、基地局の自己同期のための方法の流れ図である。
【図３】図３は、同期基地局からホーム進化型ノードＢ（ＨｅＮＢ）への同期情報の送信を示すブロック図である。
【図４】図４は、同期基地局からホーム進化型ノードＢ（ＨｅＮＢ）への同期情報の送信を示す図である。
【図５】図５は、同じく、同期基地局からホーム進化型ノードＢ（ＨｅＮＢ）への同期情報の送信を示す図である。
【図６】図６は、基地局の自己同期のための別の方法の流れ図である。
【図７】図７は、基地局の自己同期のさらに別の方法の流れ図である。
【図８】図８は、マクロ進化型ノードＢ（ｅＮＢ）と複数のホーム進化型ノードＢ（ＨｅＮＢ）とをもつワイヤレス通信システムの図である。
【図９】図９は、本システムおよび方法において使用するための、ホーム進化型ノードＢ（ＨｅＮＢ）とモビリティ管理エンティティ（ＭＭＥ）と同期基地局との間のデータフローを示すブロック図である。
【図１０】図１０は、複数のワイヤレスデバイスをもつワイヤレス通信システムとそれらのそれぞれのストラタムとを示す図である。
【図１１】図１１は、本システムおよび方法において使用するための基地局の様々な構成要素を示すブロック図である。
【詳細な説明】
【００２０】
第１の基地局の自己同期のための方法について説明する。同期情報は第２の基地局から受信される。第２の基地局と同期することは、受信された同期情報を使用して実行される。
【００２１】
同期情報は同期ストラタム情報および／または同期ステータス情報を含み得る。同期情報は、１つまたは複数の基地局から受信され得る。第２の基地局は、１つまたは複数の基地局の一部であり得る。１つまたは複数の基地局の各々について、ストラタムが判断され得る。同期情報はストラタムを含み得る。第２の基地局は同期基地局として選択され得る。第２の基地局は最低ストラタムを有し得る。
【００２２】
１つまたは複数の基地局の各々についてストラタムを判断することは、１つまたは複数の基地局の各々と全地球測位システム（ＧＰＳ）サーバとの間の中間同期ノードの数を判断することを含み得る。第２の基地局のストラタムに基づいて、第１の基地局について現在ストラタムが判断され得る。協調沈黙期間中に、送信が停止され得る。協調沈黙期間は、同期情報を使用して協調させられ得る。協調沈黙期間は、同期情報を送信するために現在ストラタムよりも小さいストラタムを有する基地局のために指定されたスロットを指すことがある。
【００２３】
協調沈黙期間は、同期のための信号対干渉雑音比（ＳＩＮＲ）を改善するために観測され得る。現在ストラタムは協調沈黙期間中に送信され得る。協調沈黙期間は、同期信号を送信するために現在ストラタムに等しいかまたはそれよりも小さいストラタムを有する基地局のために設計されたスロットを指すことがある。同期情報は、１つまたは複数の基地局からワイヤレスに受信され得る。同期情報はシステム情報メッセージ中にあり得る。同期情報は、マスタ情報ブロック（ＭＩＢ）またはシステム情報ブロック（ＳＩＢ）を通して搬送され得る。第２の基地局のストラタムは、ＭＩＢの予約済みビット中で搬送され得る。
【００２４】
同期情報は、ロングタームエボリューション（ＬＴＥ）において使用される物理ダウンリンク制御チャネル（ＰＤＣＣＨ）上でシグナリングされ得る。同期情報はまた、ロングタームエボリューション（ＬＴＥ）において使用される物理ダウンリンク共有チャネル（ＰＤＳＣＨ）上でシグナリングされ得る。同期情報はモビリティ管理エンティティ（ＭＭＥ）に記憶され得る。同期情報は、バックホールを介して１つまたは複数の基地局から受信され得る。同期情報は、Ｓ１インターフェースを介して、またはＸ２インターフェースを介してシグナリングされ得る。同期情報はホーム進化型ノードＢ（ＨｅＮＢ）管理サーバ（ＨＭＳ）に記憶され得る。
【００２５】
受信された同期情報を使用して第２の基地局と同期することは、同期基地局のタイミングに一致するように基地局のタイミングを調整することを含み得る。同期基地局の同期情報は周期的に監視され得る。第１の基地局はマクロ基地局またはホーム進化型ノードＢ（ＨｅＮＢ）であり得る。同期基地局はマクロ基地局またはホーム進化型ノードＢ（ＨｅＮＢ）であり得る。同期情報は１次同期信号（ＰＳＳ）または２次同期信号（ＳＳＳ）に結合され得る。
【００２６】
また、同期情報を搬送するための方法について説明する。現在ストラタムが判断される。第１の協調沈黙期間および第２の協調沈黙期間が、現在ストラタムに基づいて判断される。同期情報は第１の協調沈黙期間中に送信される。
【００２７】
自己同期のために構成されたワイヤレスデバイスについて説明する。ワイヤレスデバイスは、プロセッサと、プロセッサと電子通信しているメモリと、メモリに記憶された命令とを含む。命令は、第２の基地局から同期情報を受信し、受信された同期情報を使用して第２の基地局と同期するようにプロセッサによって実行可能である。
【００２８】
また、同期情報を搬送するために構成されたワイヤレスデバイスについて説明する。ワイヤレスデバイスは、プロセッサと、プロセッサと電子通信しているメモリと、メモリに記憶された命令とを含む。命令は、現在ストラタムを判断するようにプロセッサによって実行可能である。命令はまた、現在ストラタムに基づいて第１の協調沈黙期間と第２の協調沈黙期間とを判断するようにプロセッサによって実行可能である。命令は、さらに、第１の協調沈黙期間中に同期情報を送信するようにプロセッサによって実行可能である。
【００２９】
自己同期のために構成されたワイヤレスデバイスについて説明する。ワイヤレスデバイスは、基地局から同期情報を受信するための手段と、受信された同期情報を使用して基地局と同期するための手段とを含む。
【００３０】
また、第１の基地局の自己同期のためのコンピュータプログラム製品について説明する。本コンピュータプログラム製品は、その上に命令を有するコンピュータ可読媒体を含む。命令は、第２の基地局から同期情報を受信するためのコードと、受信された同期情報を使用して第２の基地局と同期するためのコードとを含む。
【００３１】
同期情報を搬送するために構成されたワイヤレスデバイスについて説明する。ワイヤレスデバイスは、現在ストラタムを判断するための手段を含む。ワイヤレスデバイスはまた、現在ストラタムに基づいて第１の協調沈黙期間と第２の協調沈黙期間とを判断するための手段を含む。ワイヤレスデバイスは、第１の協調沈黙期間中に同期情報を送信するための手段をさらに含む。
【００３２】
また、第１の基地局の自己同期のためのコンピュータプログラム製品について説明する。本コンピュータプログラム製品は、その上に命令を有するコンピュータ可読媒体を含む。命令は、現在ストラタムを判断するためのコードを含む。命令はまた、現在ストラタムに基づいて第１の協調沈黙期間と第２の協調沈黙期間とを判断するためのコードを含む。命令は、第１の協調沈黙期間中に同期情報を送信するためのコードをさらに含む。
【００３３】
第３世代パートナーシッププロジェクト(3rd Generation Partnership Project)（３ＧＰＰ）は、グローバルに適用可能な第３世代（３Ｇ）モバイルフォン仕様を定義することを目的とする電気通信協会のグループ間のコラボレーションである。３ＧＰＰロングタームエボリューション（ＬＴＥ）は、ユニバーサルモバイル電気通信システム(Universal Mobile Telecommunications System)（ＵＭＴＳ）モバイルフォン規格を改善することを目的とした３ＧＰＰプロジェクトである。３ＧＰＰは、次世代のモバイルネットワーク、モバイルシステム、およびモバイルデバイスのための仕様を定義し得る。
【００３４】
３ＧＰＰ  ＬＴＥでは、移動局またはデバイスは「ユーザ機器」（ＵＥ）と呼ばれることがある。基地局は進化型ノードＢ（ｅＮＢ）と呼ばれることがある。半自律型（semi-autonomous）基地局はホームｅＮＢ（ＨｅＮＢ）と呼ばれることがある。したがって、ＨｅＮＢはｅＮＢの一例であり得る。ＨｅＮＢ、および／またはＨｅＮＢのカバレッジエリアは、フェムトセル、ピコセル、ＨｅＮＢセルまたは限定加入者グループ（closed subscriber group）（ＣＳＧ）セルと呼ばれることがある。
【００３５】
図１に、複数のワイヤレスデバイスをもつワイヤレス通信システム１００を示す。ワイヤレス通信システム１００は、音声、データなど様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。ワイヤレスデバイスは、基地局１０２、非同期基地局１２４、ワイヤレス通信デバイス１０４、全地球測位システム（ＧＰＳ）サーバ１０６、またはモビリティ管理エンティティ（ＭＭＥ）１１２であり得る。
【００３６】
基地局１０２は、１つまたは複数のワイヤレス通信デバイス１０４と通信する局である。基地局１０２は、アクセスポイント、ブロードキャスト送信機、ノードＢ、進化型ノードＢなどとも呼ばれることがあり、それらの機能の一部または全部を含み得る。本明細書では、「基地局」という用語を使用する。各基地局１０２は、特定の地理的エリアに通信カバレッジを提供する。基地局１０２は、１つまたは複数のワイヤレス通信デバイス１０４に通信カバレッジを与え得る。「セル」という用語は、その用語が使用されるコンテキストに応じて基地局１０２および／またはそのカバレッジエリアを指すことができる。
【００３７】
ワイヤレスシステム（たとえば、多元接続システム）における通信は、ワイヤレスリンクを介した送信によって達成され得る。そのような通信リンクは、単一入力単一出力（ＳＩＳＯ）、多入力単一出力（ＭＩＳＯ）、または多入力多出力（ＭＩＭＯ）システムを介して確立され得る。ＭＩＭＯシステムは、それぞれ、データ伝送のための複数の（ＮＴ）送信アンテナおよび複数の（ＮＲ）受信アンテナを装備した、（１つまたは複数の）送信機および（１つまたは複数の）受信機を含む。ＳＩＳＯシステムおよびＭＩＳＯシステムは、ＭＩＭＯシステムの特定の例である。複数の送信アンテナおよび受信アンテナによって生成された追加の次元数が利用された場合、ＭＩＭＯシステムは、改善されたパフォーマンス（たとえば、より高いスループット、より大きい容量、または改善された信頼性）を与えることができる。
【００３８】
ワイヤレス通信システム１００はＭＩＭＯを利用し得る。ＭＩＭＯシステムは、時分割複信（ＴＤＤ）システムと周波数分割複信（ＦＤＤ）システムの両方をサポートし得る。ＴＤＤシステムでは、順方向リンク送信と逆方向リンク送信とが同一周波数領域上で行われるので、相反定理により逆方向リンクチャネルからの順方向リンクチャネルの推定が可能である。これにより、送信ワイヤレスデバイスは、その送信ワイヤレスデバイスが受信した通信から送信ビームフォーミング利得を抽出することが可能になる。
【００３９】
ワイヤレス通信システム１００は、利用可能なシステムリソース（たとえば、帯域幅および送信電力）を共有することによって複数のワイヤレス通信デバイスとの通信をサポートすることが可能な多元接続システムであり得る。そのような多元接続システムの例には、符号分割多元接続（ＣＤＭＡ）システム、広帯域符号分割多元接続（Ｗ−ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、第３世代パートナーシッププロジェクト（３ＧＰＰ）ロングタームエボリューション（ＬＴＥ）システム、および空間分割多元接続（ＳＤＭＡ）システムがある。
【００４０】
「ネットワーク」および「システム」という用語は、しばしば互換的に使用される。ＣＤＭＡネットワークは、ユニバーサル地上波無線アクセス(Universal Terrestrial Radio Access)（ＵＴＲＡ）、ｃｄｍａ２０００などの無線技術を実装することができる。ＵＴＲＡは、Ｗ−ＣＤＭＡおよび低チップレート（ＬＣＲ）を含み、ｃｄｍａ２０００は、ＩＳ−２０００、ＩＳ−９５およびＩＳ−８５６規格をカバーする。ＴＤＭＡネットワークは、、移動通信用グローバルシステム(Global System for Mobile Communications)（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装し得る。ＵＴＲＡ、Ｅ−ＵＴＲＡ、およびＧＳＭは、ユニバーサルモバイル電気通信システム（ＵＭＴＳ）の一部である。ロングタームエボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「第３世代パートナーシッププロジェクト(3rd Generation Partnership Project)」（３ＧＰＰ）という名称の組織からの文書に記載されている。ｃｄｍａ２０００は、「第３世代パートナーシッププロジェクト２(3rd Generation Partnership Project 2)」（３ＧＰＰ２）という名称の組織からの文書に記載されている。明快のために、本技法のいくつかの態様について以下ではＬＴＥに関して説明し、以下の説明の大部分でＬＴＥ用語を使用する。
【００４１】
シングルキャリア周波数分割多元接続（ＳＣ−ＦＤＭＡ）システムは、シングルキャリア変調および周波数領域等化を利用する。ＳＣ−ＦＤＭＡシステムは、ＯＦＤＭＡシステムと同様のパフォーマンスおよび本質的に同じ全体的な複雑さを有する。ＳＣ−ＦＤＭＡ信号は、それ特有のシングルキャリア構造のためにより低いピーク対平均電力比（ＰＡＰＲ）を有する。ＳＣ−ＦＤＭＡは、特に、より低いピーク対平均電力比（ＰＡＰＲ）が送信電力効率の点でモバイル端末に多大な利益を与えるアップリンク通信において、大いに注目されている。それは現在、３ＧＰＰロングタームエボリューション（ＬＴＥ）、またはＥｖｏｌｖｅｄ  ＵＴＲＡにおけるアップリンク多元接続方式に関する実用的な前提である。
【００４２】
ワイヤレスネットワークにおける基地局１０２間の同期は、干渉管理または仮想ＭＩＭＯなどの多くの利益をもたらす。旧来、セルラーネットワーク同期は、基地局１０２と連結されたＧＰＳ受信機を使用して達成される。ＧＰＳ受信機および／またはＧＰＳ信号は、製造コスト要件、電力消費量制限、ＧＰＳ衛星への見通し線がないこと、および他の理由により、同期目的のために常に利用可能であるとは限らない。そのようなシナリオでは、代替同期ストラテジが必要であることがある。１つのそのようなシナリオは、ＬＴＥまたはＬＴＥ−Ａにおいて使用される異種展開である。
【００４３】
通常の基地局１０２に加えて、ホーム進化型ノードＢ（ＨｅＮＢ）、ピコセルおよびフェムトセルなど、低電力の基地局１０２が使用される。ピコセルは、通常の基地局１０２よりもはるかに小さいスケールで動作する、ネットワーク事業者によって制御される基地局１０２を指すことがある。フェムトセルは、通常の基地局１０２よりもはるかに小さいスケールで動作する、消費者によって制御される基地局１０２を指すことがある。フェムトセルは、限定加入者グループにサービスを提供し得る。フェムトセル、ピコセルおよびＨｅＮＢは、同様の送信電力およびカバレッジエリアを有し得る。フェムトセル、ピコセルおよびＨｅＮＢは、それらがＧＰＳ信号を受信する可能性が低い屋内に配置され得る。代替的に、フェムトセル、ピコセルまたはＨｅＮＢは、ＧＰＳ受信機を有しないことさえある。通常の基地局１０２はマクロ基地局１０２と呼ばれることがある。現在同期がない基地局１０２は非同期基地局１２４と呼ばれることがある。したがって、非同期基地局１２４は、ＨｅＮＢ、ピコセルまたはフェムトセルであり得る。
【００４４】
非同期基地局１２４は、すでに同期した基地局１０２から同期を導出し得る。たとえば、非同期基地局１２４は、第１の基地局１０２ａまたは第２の基地局１０２ｂから同期を導出し得る。非同期基地局１２４が、ストラタムを最小限に抑えるために、それ自体のストラタムを導出し、同期を収集するために、基地局１０２と基地局１２４との間でストラタム情報を搬送するための方法が必要である。第１の基地局１０２ａと第２の基地局１０２ｂの両方は全地球測位システム（ＧＰＳ）サーバ１０６に同期され得る。第１の基地局１０２ａは、第１の経路の第１のホップ１１４ａを介して全地球測位システム（ＧＰＳ）サーバ１０６と直接的に同期され得る。第２の基地局１０２ｂは、第３の基地局１０２ｃを介して全地球測位システム（ＧＰＳ）サーバ１０６と間接的に同期され得る。第３の基地局１０２ｃは、第２の経路の第１のホップ１１６ａを介して全地球測位システム（ＧＰＳ）サーバ１０６と同期し、次いで、第２の経路の第２のホップ１１６ｂを介して第２の基地局１０２ｂとの同期を行い得る。
【００４５】
非同期基地局１２４は、第１の経路の第２のホップ１１４ｂを介して第１の基地局１０２ａから、または第２の経路の第３のホップ１１６ｃを介して第２の基地局１０２ｂから同期を導出することができる。第１の基地局１０２ａ、第２の基地局１０２ｂおよび第３の基地局１０２ｃはそれぞれ全地球測位システム（ＧＰＳ）サーバ１０６と同期されるので、各々は同期情報１０８ａ〜ｃを含み得る。同期情報について、図３に関して以下でさらに詳細に説明する。
【００４６】
図１の同期した基地局１０２は、マクロ基地局、ＨｅＮＢ、ピコセルまたはフェムトセルであり得る。非同期基地局１２４は、基地局１０２からワイヤードまたはワイヤレス手段を介して同期情報１０８を受信し得る。一構成では、非同期基地局１２４は、基地局１０２からモビリティ管理エンティティ（ＭＭＥ）１１２を介して同期情報１０８を受信し得る。モビリティ管理エンティティ（ＭＭＥ）１１２を介して情報を送ることは、バックホールを使用することと呼ばれることがある。基地局１０２は、様々な種類の情報を交換するためにバックホールを使用する。基地局１０２からワイヤレス手段を介して直接的に、またはモビリティ管理エンティティ（ＭＭＥ）１１２を介して間接的に同期情報１０８を受信することは、１ホップと呼ばれることがある。
【００４７】
非同期基地局１２４は、様々なソースからの複数の受信された同期情報１１０を含み得る。たとえば、非同期基地局１２４は、第１の基地局１０２ａから同期情報１０８ａを受信し、第２の基地局１０２ｂから同期情報１０８ｂを受信し得る。非同期基地局１２４はまた、ストラタム判断モジュール１１８を含み得る。ストラタム判断モジュール１１８は、非同期基地局１２４が同期情報１１０を受信した各基地局１０２のストラタムを判断し得る。ストラタムは、基地局１０２と全地球測位システム（ＧＰＳ）サーバ１０６との間の中間同期ノードの数を指す。各基地局１０２のストラタムは同期情報１０８中に明示的に含まれ得る。代替的に、各基地局１０２のストラタムは、同期情報１０８に基づいて導出される必要があることがある。
【００４８】
非同期基地局１２４は同期基地局選択モジュール１１９を含み得る。非同期基地局１２４は、複数の基地局１０２から同期情報１１０を受信し得る。同期基地局選択モジュール１１９は、各基地局１０２のストラタムに基づいて、基地局１０２を同期基地局１０２として選択し得る。最低ストラタムをもつ基地局１０２を同期基地局１０２として選択しなければならない。次いで、非同期基地局１２４は、同期基地局１０２から同期を取得するために同期モジュール１２０を使用し得る。一構成では、同期モジュール１２０は、同期基地局１０２の受信された同期情報１１０から同期を導出し得る。
【００４９】
非同期基地局１２４は現在ストラタム１２２を含み得る。現在ストラタム１２２は、非同期基地局１２４と全地球測位システム（ＧＰＳ）サーバ１０６との間の中間同期ノードの数を指し得る。現在ストラタム１２２は同期基地局１０２のストラタムに依存する。現在ストラタム１２２は、同期基地局１０２のストラタムよりも大きいストラタムとなる。
【００５０】
上記で説明したように、非同期基地局１２４は、１つまたは複数のワイヤレス通信デバイス１０４ａ〜ｂと通信し得る。ワイヤレス通信デバイス１０４は、端末、アクセス端末、ユーザ機器（ＵＥ）、加入者ユニット、局などとも呼ばれることがあり、それらの機能の一部または全部を含み得る。ワイヤレス通信デバイス１０４は、セルラー電話、携帯情報端末（ＰＤＡ）、ワイヤレスデバイス、ワイヤレスモデム、ハンドヘルドデバイス、ラップトップコンピュータなどとすることができる。ワイヤレス通信デバイス１０４は、任意の所与の瞬間に、ダウンリンクおよび／またはアップリンク上の０、１つ、または複数の基地局１２４と通信し得る。ダウンリンク（または順方向リンク）は、基地局１２４からワイヤレス通信デバイス１０４への通信リンクを指し、アップリンク（または逆方向リンク）は、ワイヤレス通信デバイス１０４から基地局１２４への通信リンクを指す。
【００５１】
図２は、基地局１０２の自己同期のための方法２００の流れ図である。方法２００は、非同期基地局１２４などの基地局１０２によって実行され得る。同期基地局１０２が方法２００を実行してもよい。一構成では、非同期基地局１２４はＨｅＮＢであり得る。２０２において、非同期基地局１２４は、同期基地局１０２から同期情報１１０を受信する。２０４において、非同期基地局１２４は、同期情報１１０に基づいてストラタムを判断する。そのストラタムは同期基地局１０２のストラタムであり得る。次いで２０６において、非同期基地局１２４は同期基地局１０２と同期する。同期することは、同期基地局１０２上で１つまたは複数のクロックと整合するために非同期基地局１２４上で１つまたは複数のクロックを調節することを含み得る。ワイヤレスネットワークは同期動作をサポートし得る。同期動作では、基地局１０２の各々は同じフレームタイミングを有し得、異なる基地局１０２からの送信は時間的にほぼ整合され得る。
【００５２】
図３は、同期基地局３０２からホーム進化型ノードＢ（ＨｅＮＢ）３２４への同期情報３０８の送信を示すブロック図である。図３のホーム進化型ノードＢ（ＨｅＮＢ）３２４は、図１の非同期基地局１２４の１つの構成であり得る。図３の同期基地局３０２は、図１の第１の基地局１０２ａの１つの構成であり得る。同期基地局３０２はマクロ基地局またはＨｅＮＢであり得る。同期情報３０８は、同期基地局３０２のストラタムに応じて協調沈黙期間中に送信され得る。協調沈黙期間はネットワークによって制御され得る。たとえば、コアネットワークまたは無線ネットワークコントローラ（ＲＮＣ）は協調沈黙期間を協調させ得る。２つ以上の協調沈黙期間が存在し得る。協調沈黙期間について、図７に関して以下でさらに詳細に説明する。
【００５３】
同期情報３０８は同期ステータス情報３２６を含み得る。同期ステータス情報３２６は、同期基地局３０２が、全地球測位システム（ＧＰＳ）サーバ１０６に直接的に同期されるか、または（複数のホップを介して）間接的に同期されるかを示すビットである。同期ステータス情報３２６は、ソース（すなわち、同期基地局３０２）が有効なソースであることを保証するために同期を収集するホーム進化型ノードＢ（ＨｅＮＢ）３２４によって使用され得る。
【００５４】
同期情報３０８はまた、セル探索中に同期させるために使用される１次同期信号（ＰＳＳ）３３０を含み得る。同期情報３０８は、セル探索中にタイミングを同期させ、セルグループ識別を送信するために使用される２次同期信号（ＳＳＳ）３３２をさらに含み得る。同期情報３０８はまた、共通基準信号（ＣＲＳ）３３４と測位基準信号（ＰＲＳ）３３６とを含み得る。１次同期信号（ＰＳＳ）３３０、２次同期信号（ＳＳＳ）３３２、共通基準信号（ＣＲＳ）３３４および測位基準信号（ＰＲＳ）３３６は、セルＩＤに結合され得る。
【００５５】
同期情報３０８はまた、同期ストラタム情報３２８を含み得る。同期ストラタム情報３２８は同期基地局３０２のストラタム３３８を含み得る。上記で説明したように、ストラタム３３８は、全地球測位システム（ＧＰＳ）サーバ１０６と直接的に同期している基地局からのホップの数を指す。全地球測位システム（ＧＰＳ）サーバ１０６と直接的に同期している基地局は、ストラタム０を有すると言われる。（ホーム進化型ノードＢ（ＨｅＮＢ）３２４などの）同期を収集しているノードは、最低ストラタム３３８をもつソースを使用するように要求され得る。同期は異なるソースから収集され得るので、最低ストラタム３３８をもつソースを選択することは、ネットワーク中に存在するホップの数を最小限に抑える。同期ストラタム情報３２８は、それを送る基地局３０２のストラタム３３８のみを含み得る。同期ストラタム情報３２８および同期ステータス情報３２６は、セルＩＤを介して、１次同期信号（ＰＳＳ）３３０と、２次同期信号（ＳＳＳ）３３２と、共通基準信号（ＣＲＳ）３３４と、測位基準信号（ＰＲＳ）３３６とに暗黙的に結合される。
【００５６】
各ストラタム３３８について、１次同期信号（ＰＳＳ）３３０と２次同期信号（ＳＳＳ）３３２とのいくつかのファミリを公表することができる。ホーム進化型ノードＢ（ＨｅＮＢ）３２４は、すでに同期したセルの１次同期信号（ＰＳＳ）３３０／２次同期信号（ＳＳＳ）３３２を使用して同期を導出する可能性があるので、１次同期信号（ＰＳＳ）３３０／２次同期信号（ＳＳＳ）３３２を使用することにより、ホーム進化型ノードＢ（ＨｅＮＢ）３２４はストラタム３３８を効率的に適時に導出することが可能になる。
【００５７】
図４は、同期基地局４０２からホーム進化型ノードＢ（ＨｅＮＢ）４２４への同期情報４０８の送信を示す。図４の同期基地局４０２は、図１の第１の基地局１０２ａの１つの構成であり得る。図４のホーム進化型ノードＢ（ＨｅＮＢ）４２４は、図１の非同期基地局１２４の１つの構成であり得る。同期基地局４０２は、物理ダウンリンク共有チャネル（ＰＤＳＣＨ）４４０を介して同期情報４０８ａをホーム進化型ノードＢ（ＨｅＮＢ）４２４に送信し得る。物理ダウンリンク共有チャネル（ＰＤＳＣＨ）４４０は、共通のユーザデータおよび制御情報をワイヤレス通信デバイス１０４または他の基地局１０２に送るために使用され得る。同期基地局４０２はまた、物理ダウンリンク制御チャネル（ＰＤＣＣＨ）４４２を介して同期情報４０８ｂをホーム進化型ノードＢ（ＨｅＮＢ）４２４に送信し得る。物理ダウンリンク制御チャネル（ＰＤＣＣＨ）４４２は、ワイヤレス通信デバイス１０４に制御情報を転送するために使用される送信チャネルである。ただし、基地局１０２間で情報を送信するために物理ダウンリンク制御チャネル（ＰＤＣＣＨ）４４２を使用してもよい。
【００５８】
一構成では、同期基地局４０２は、同期情報４０８をホーム進化型ノードＢ（ＨｅＮＢ）４２４に送るために物理ダウンリンク共有チャネル（ＰＤＳＣＨ）４４０または物理ダウンリンク制御チャネル（ＰＤＣＣＨ）４４２のいずれかを排他的に使用し得る。代替的に、同期基地局４０２は、同期情報４０８を送るために物理ダウンリンク共有チャネル（ＰＤＳＣＨ）４４０と物理ダウンリンク制御チャネル（ＰＤＣＣＨ）４４２の両方を使用し得る。同期情報４０８を送るために、ＬＴＥにおいて使用される他のチャネルを使用してもよい。
【００５９】
図５は、同じく、同期基地局５０２からホーム進化型ノードＢ（ＨｅＮＢ）５２４への同期情報５０８の送信を示す。図５の同期基地局５０２は、図１の第１の基地局１０２ａの１つの構成であり得る。図５のホーム進化型ノードＢ（ＨｅＮＢ）５２４は、図１の非同期基地局１２４の１つの構成であり得る。同期基地局５０２は、システム情報メッセージ５４４を介して、同期情報５０８ａをホーム進化型ノードＢ（ＨｅＮＢ）５２４に送信し得る。システム情報メッセージ５４４は、マスタ情報ブロック（ＭＩＢ）５４６またはシステム情報ブロック（ＳＩＢ）５４８を含み得る。
【００６０】
同期基地局５０２はまた、マスタ情報ブロック（ＭＩＢ）５４６中で同期情報５０８ｂをホーム進化型ノードＢ（ＨｅＮＢ）５２４に送信し得る。マスタ情報ブロック（ＭＩＢ）５４６は、ユニバーサルモバイル電気通信サービス（Universal Mobile Telecommunications Service）（ＵＭＴＳ）ＬＴＥシステムの物理的構成に関する情報のセットである。マスタ情報ブロック（ＭＩＢ）５４６は、ダウンリンクシステム帯域幅、送信アンテナの数、物理ページングチャネル構成およびシステムフレーム番号を担持し得る。（物理ブロードキャストチャネル（ＰＢＣＨ）上で送られる）マスタ情報ブロック（ＭＩＢ）５４６中で予約されたビットなど、予約済みビットは、同期情報５０８ｂおよび／またはストラタムレベルを送信するために使用され得る。
【００６１】
同期基地局５０２はまた、システム情報ブロック（ＳＩＢ）５４８中で同期情報５０８ｃをホーム進化型ノードＢ（ＨｅＮＢ）５２４に送信し得る。システム情報ブロック（ＳＩＢ）５４８は、システム構成を記述する情報と、システムにアクセスすることを試みるときに使用されなければならない特定のパラメータとのセットである。一構成では、同期基地局５０２は、新しいシステム情報ブロック（ＳＩＢ）５４８中で同期情報５０８ｃをホーム進化型ノードＢ（ＨｅＮＢ）５２４に送信し得る。新しいシステム情報ブロック（ＳＩＢ）５４８は、ＬＴＥについて規定され得る同期情報５０８ｃを含む新しいシステム情報メッセージである。
【００６２】
図６は、基地局の自己同期のための別の方法６００の流れ図である。方法６００は、非同期基地局１２４などの基地局によって実行され得る。同期基地局１０２が方法６００を実行してもよい。一構成では、非同期基地局１２４はホーム進化型ノードＢ（ＨｅＮＢ）３２４であり得る。６０２において、非同期基地局１２４は、２つ以上の基地局１０２から同期情報１１０を受信し得る。６０４において、非同期基地局１２４は、受信された同期情報１１０を使用して、２つ以上の基地局１０２の各々についてストラタム３３８を判断する。一構成では、６０４において、非同期基地局１２４は、同期ストラタム情報３２８中に示されたストラタム３３８に基づいてストラタム３３８を判断する。
【００６３】
次いで６０６において、非同期基地局１２４は、最低ストラタム３３８をもつ基地局を同期基地局３０２として選択する。複数の基地局が同じストラタム３３８を有する場合、非同期基地局１２４は、最も高いＳＩＮＲ（すなわち、最良の信号品質）をもつ基地局１０２を同期基地局３０２として選択し得る。最低ストラタム３３８をもつ基地局１０２は、全地球測位システム（ＧＰＳ）サーバ１０６と直接的に同期している基地局１０２へのホップの数が最も少ない基地局１０２である。６０８において、非同期基地局１２４は、同期基地局３０２のストラタム３３８に基づいて現在ストラタム１２２を更新する。たとえば、６０８において、非同期基地局１２４は、同期基地局３０２のストラタム３３８よりも大きいストラタムになるように現在ストラタム１２２を更新する。次いで６１０において、非同期基地局１２４は同期基地局３０２と同期する。
【００６４】
図７は、基地局の自己同期のさらに別の方法７００の流れ図である。方法７００は、非同期基地局１２４などの基地局によって実行され得る。同期基地局１０２が方法７００を実行してもよい。一構成では、非同期基地局１２４はホーム進化型ノードＢ（ＨｅＮＢ）３２４であり得る。７０２において、非同期基地局１２４は、２つ以上の基地局１０２から同期情報１１０を受信し得る。次いで７０４において、非同期基地局１２４は、２つ以上の基地局１０２の各々と全地球測位システム（ＧＰＳ）サーバ１０６との間の中間同期ノードの数を判断する。
【００６５】
次いで７０６において、非同期基地局１２４は、中間同期ノードの判断された数を使用して、２つ以上の基地局１０２の各々についてストラタム３３８を判断する。基地局１０２のストラタム３３８のブラインド検出は、非同期基地局１２４が基地局１０２からストラタム３３８を直接的に受信しない場合に達成され得る。非同期基地局１２４は、すべての信号をリッスンし、他の基地局１０２がそれらの送信を沈黙化するタイミングに基づいてストラタム３３８を判断し得る。７０８において、非同期基地局１２４は、最低ストラタム３３８をもつ基地局１０２を同期基地局３０２として選択し得る。次に７１０において、非同期基地局１２４は、同期基地局３０２のストラタム３３８に基づいて現在ストラタム１２２を更新する。次いで７１２において、非同期基地局１２４は、同期基地局３０２に対応する受信された同期情報１１０を使用して同期基地局３０２と同期する。
【００６６】
図３に関して上記で説明したように、同期情報３０８は、協調沈黙期間中に送信され得る。異なるストラタムの数に応じて、複数の協調沈黙期間が生じ得る。基地局１０２は全地球測位システム（ＧＰＳ）サーバ１０６または別の基地局１０２から同期を受信するので、複数の基地局１０２が同時に同期情報１０８を送信しようと試みると、干渉が生じ得る。非同期基地局１２４はいま同期されているが、明快のために、依然として非同期基地局１２４と呼ぶ。
【００６７】
ストラタム３３８が送信されるチャネルを監視するのを助けるために、信号対干渉雑音比（ＳＩＮＲ）を改善するために使用される協調沈黙などの機構が使用され得る。７１３において、基地局１０２は、現在ストラタム１２２に基づいて第１の協調沈黙期間と第２の協調沈黙期間とを判断する。７１４において、基地局１０２、１２４は、第１の協調沈黙期間中に送信を停止する。第１の協調沈黙期間は、同期情報３０８を送信するために、現在ストラタム１２２よりも小さいストラタムを有する基地局１０２のために指定されたスロットを指し得る。
【００６８】
たとえば、非同期基地局１２４の現在ストラタム１２２が３（ストラタム３）であり、第１の協調沈黙期間が、２（ストラタム２）またはそれよりも小さいストラタムをもつ基地局１０２によって同期情報３０８の送信のために指定された場合、７１４において、非同期基地局１２４は、第１の協調沈黙期間中に送信を停止する。２またはそれよりも小さいストラタム（すなわち、ストラタム２、ストラタム１およびストラタム０）をもつ基地局１０２だけが、第１の協調沈黙期間中に同期情報３０８を送信する。すべての他の基地局１０２は、第１の協調沈黙期間中、沈黙でなければならない。第１の協調沈黙期間中、沈黙基地局１０２は、非沈黙基地局１０２によって送信された同期情報３０８を監視し得る。
【００６９】
７１６において、非同期基地局１２４は、第２の協調沈黙期間中に同期情報３０８を送信する。第２の協調沈黙期間は、同期信号を送信するために、現在ストラタム１２２に等しいかまたはそれよりも小さいストラタムを有する基地局１０２のために指定されたスロットを指し得る。たとえば、非同期基地局１２４の現在ストラタム１２２が３（ストラタム３）であり、第２の協調沈黙期間が、３（ストラタム３）またはそれよりも小さいストラタムをもつ基地局１０２によって同期情報３０８のために指定された場合、７１６において、非同期基地局１２４は、第２の協調沈黙期間中に同期情報３０８を送信する。７１６において、現在ストラタム１２２（すなわち、ストラタム３、ストラタム２、ストラタム１およびストラタム０）に等しいかまたはそれよりも小さいストラタムをもつ基地局だけが、第２の協調沈黙期間中に同期情報３０８を送信する。すべての他の基地局は、第２の協調沈黙期間中に沈黙でなければならない。
【００７０】
図８は、マクロ進化型ノードＢ（ｅＮＢ）８０２と複数のホーム進化型ノードＢ（ＨｅＮＢ）８２４、８６６とをもつワイヤレス通信システム８００である。ワイヤレス通信システム８００は、スケーラビリティ理由のためにホーム進化型ノードＢ（ＨｅＮＢ）ゲートウェイ８５６を含み得る。マクロ進化型ノードＢ（ｅＮＢ）８０２およびホーム進化型ノードＢ（ＨｅＮＢ）ゲートウェイ８５６はそれぞれ、モビリティ管理エンティティ（ＭＭＥ）８１２ａ〜ｃのプール８５０およびサービングゲートウェイ（ＳＧＷ）８５４ａ〜ｂのプール８５２と通信し得る。ホーム進化型ノードＢ（ＨｅＮＢ）ゲートウェイ８５６は、専用のＳ１インターフェース８５８ａ〜ｂ接続のためのＣプレーンおよびＵプレーン中継器のように見え得る。Ｓ１インターフェース８５８接続は、進化型パケットコア（ＥＰＣ）とEvolved Universal Terrestrial Access Network（ＥＵＴＲＡＮ）との間の境界として指定された論理インターフェースであり得る。ホーム進化型ノードＢ（ＨｅＮＢ）ゲートウェイ８５６は、ＥＰＣの観点からマクロ進化型ノードＢ（ｅＮＢ）８０２として働き得る。ＣプレーンインターフェースはＳ１−ＭＭＥであり得、ＵプレーンインターフェースはＳ１−Ｕであり得る。
【００７１】
ホーム進化型ノードＢ（ＨｅＮＢ）ゲートウェイ８５６は、単一のＥＰＣノードとしてホーム進化型ノードＢ（ＨｅＮＢ）８２４、８６６に対して働き得る。ホーム進化型ノードＢ（ＨｅＮＢ）ゲートウェイ８５６は、ホーム進化型ノードＢ（ＨｅＮＢ）８２４、８６６のためのＳ１フレックス接続性を保証し得る。ホーム進化型ノードＢ（ＨｅＮＢ）ゲートウェイ８５６は、単一のホーム進化型ノードＢ（ＨｅＮＢ）８２４、８６６がｎ個のモビリティ管理エンティティ（ＭＭＥ）８１２と通信し得るように、１：ｎ中継機能を与え得る。ホーム進化型ノードＢ（ＨｅＮＢ）ゲートウェイ８５６は、Ｓ１インターフェース８５８のセットアッププロシージャを介して動作させられたときにモビリティ管理エンティティ（ＭＭＥ）８１２のプール８５０に対して登録する。ホーム進化型ノードＢ（ＨｅＮＢ）ゲートウェイ８５６は、ホーム進化型ノードＢ（ＨｅＮＢ）８２４、８６６とのＳ１インターフェース８５８のセットアップをサポートし得る。
【００７２】
ワイヤレス通信システム８００はまた、自己組織化ネットワーク（ＳＯＮ）サーバ８６２を含み得る。自己組織化ネットワーク（ＳＯＮ）サーバ８６２は、３ＧＰＰ  ＬＴＥネットワークの自動最適化を行い得る。自己組織化ネットワーク（ＳＯＮ）サーバ８６２は、ワイヤレス通信システム８００に対する運用および保守（Ｏ＆Ｍ）を改善するための重要な推進要因であり得る。Ｘ２インターフェース８６０ａリンクは、マクロ進化型ノードＢ（ｅＮＢ）８０２とホーム進化型ノードＢ（ＨｅＮＢ）ゲートウェイ８５６との間に存在し得る。また、Ｘ２インターフェース８６０ｂリンクは、共通のホーム進化型ノードＢ（ＨｅＮＢ）ゲートウェイ８５６に接続されたホーム進化型ノードＢ（ＨｅＮＢ）８２４、８６６の各々の間に存在し得る。Ｘ２インターフェース８６０リンクは、自己組織化ネットワーク（ＳＯＮ）サーバ８６２からの入力に基づいてセットアップされ得る。
【００７３】
Ｘ２インターフェース８６０ｂは、２つのホーム進化型ノードＢ（ＨｅＮＢ）８２４、８６６の間でストラタム情報を搬送し得る。また、Ｘ２インターフェース８６０ａは、マクロ進化型ノードＢ（ｅＮＢ）８０２からホーム進化型ノードＢ（ＨｅＮＢ）ゲートウェイ８５６にストラタム情報を搬送し得る。Ｓ１インターフェース８５８ａは、マクロ進化型ノードＢ（ｅＮＢ）８０２とモビリティ管理エンティティ（ＭＭＥ）８１２との間でストラタム情報を搬送し得る。また、Ｓ１インターフェース８５８ａは、モビリティ管理エンティティ（ＭＭＥ）８１２からホーム進化型ノードＢ（ＨｅＮＢ）ゲートウェイ８５６にストラタム情報を搬送し得る。次いで、ホーム進化型ノードＢ（ＨｅＮＢ）ゲートウェイ８５６は、Ｓ１インターフェース８５８ｂを介してストラタム情報をホーム進化型ノードＢ（ＨｅＮＢ）８２４に搬送し得る。
【００７４】
ストラタム情報（例えば、レベル）は、モビリティ管理エンティティ（ＭＭＥ）８１２またはホーム進化型ノードＢ（ＨｅＮＢ）管理サーバ（ＨＭＳ）８６４上などの第３のエンティティに記憶され得る。ホーム進化型ノードＢ（ＨｅＮＢ）管理サーバ（ＨＭＳ）８６４は、Ｓ１インターフェース８５８ａを介してストラタム情報をホーム進化型ノードＢ（ＨｅＮＢ）８２４に転送し得る。
【００７５】
図９は、本システムおよび方法において使用するための、ホーム進化型ノードＢ（ＨｅＮＢ）９２４とモビリティ管理エンティティ（ＭＭＥ）９１２と同期基地局９０２との間のデータフロー９００を示すブロック図である。図９のホーム進化型ノードＢ（ＨｅＮＢ）９２４は、図１の非同期基地局１２４の１つの構成であり得る。図９のモビリティ管理エンティティ（ＭＭＥ）９１２は、図１のモビリティ管理エンティティ（ＭＭＥ）１１２の１つの構成であり得る。図９の同期基地局９０２は、図１の第１の基地局１０２ａの１つの構成であり得る。
【００７６】
ホーム進化型ノードＢ（ＨｅＮＢ）９２４は、進化型ノードＢ（ｅＮＢ）構成転送９６８をモビリティ管理エンティティ（ＭＭＥ）９１２に送り得る。進化型ノードＢ（ｅＮＢ）構成転送９６８は、時間同期情報についての要求であり得る。モビリティ管理エンティティ（ＭＭＥ）９１２は、進化型ノードＢ（ｅＮＢ）構成転送９６８を受信し、その後、モビリティ管理エンティティ（ＭＭＥ）構成転送９７０を同期基地局９０２に送り得る。モビリティ管理エンティティ（ＭＭＥ）構成転送９７０は、時間同期情報についての要求を含み得る。
【００７７】
モビリティ管理エンティティ（ＭＭＥ）構成転送９７０を受信すると、同期基地局９０２は、進化型ノードＢ（ｅＮＢ）構成転送９７２をモビリティ管理エンティティ（ＭＭＥ）９１２に送り得る。進化型ノードＢ（ｅＮＢ）構成転送９７２は、同期基地局９０２のストラタム３３８レベルと同期ステータス３２６とを含み得る。次いで、モビリティ管理エンティティ（ＭＭＥ）９１２は、モビリティ管理エンティティ（ＭＭＥ）構成転送９７４をホーム進化型ノードＢ（ＨｅＮＢ）９２４に送り得る。また、モビリティ管理エンティティ（ＭＭＥ）構成転送９７４は、同期基地局９０２のストラタム３３８レベルと同期ステータス情報３２６とを含み得る。
【００７８】
図１０は、複数のワイヤレスデバイスをもつワイヤレス通信システム１０００とそれぞれのストラタム１０２２、１０３８を示す。上記で説明したように、ストラタムは、基地局１００２と全地球測位システム（ＧＰＳ）サーバ１００６との間の中間同期ノードの数を指す。全地球測位システム（ＧＰＳ）サーバ１００６から１ホップ離れている基地局１００２ａは、ストラタム０  １０３８ａのストラタムを有し得る。全地球測位システム（ＧＰＳ）サーバ１００６から２ホップ離れている基地局１００２ｂ〜ｃは、ストラタム１  １０３８ｂ〜ｃのストラタムを有し得る。全地球測位システム（ＧＰＳ）サーバ１００６から３ホップ離れている基地局１００２ｄは、ストラタム２  １０３８ｄのストラタムを有し得る。
【００７９】
各基地局１００２は、全地球測位システム（ＧＰＳ）サーバ１００６への回線中の直前の基地局１００２のストラタムに基づいてストラタムを導出し得る。たとえば、ストラタム２  １０３８ｄのストラタムをもつ基地局１００２ｄは、ストラタム１  １０３８ｂをもつ基地局１００２ｂからストラタムを導出し得る。同期していないホーム進化型ノードＢ（ＨｅＮＢ）１０２４は、ホーム進化型ノードＢ（ＨｅＮＢ）１０２４が同期情報３０８を受信する各基地局１００２からストラタムを導出し得る。たとえば、ホーム進化型ノードＢ（ＨｅＮＢ）１０２４は、基地局１００２ｄのストラタム２  １０３８ｄに基づいてストラタム３  １０２２ａを導出し得る。ホーム進化型ノードＢ（ＨｅＮＢ）１０２４はまた、基地局１００２ｃのストラタム１  １０３８ｃに基づいてストラタム２  １０２２ｂを導出し得る。導出されたストラタム１０２２は、前の基地局１００２のストラタム１０３８よりも大きいストラタムであり得る。ホーム進化型ノードＢ（ＨｅＮＢ）１０２４は、対応する最低ストラタム１０３８をもつ基地局１００２を同期基地局３０２として選択し得る。したがって、ホーム進化型ノードＢ（ＨｅＮＢ）１０２４は、基地局１００２ｃを同期基地局３０２として選択し、ストラタム２  １０２２ｂを現在ストラタム１２２として選択し得る。
【００８０】
図１１に、基地局１１０１内に含まれ得るいくつかの構成要素を示す。基地局は、アクセスポイント、ブロードキャスト送信機、ノードＢ、進化型ノードＢなどとも呼ばれることがあり、それらの機能の一部または全部を含み得る。基地局１１０１はプロセッサ１１０３を含む。プロセッサ１１０３は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどであり得る。プロセッサ１１０３は中央処理ユニット（ＣＰＵ）と呼ばれることがある。図１１の基地局１１０１には単一のプロセッサ１１０３のみが示されるが、代替構成では、プロセッサ（たとえば、ＡＲＭとＤＳＰ）の組合せが使用され得る。
【００８１】
基地局１１０１はまたメモリ１１０５を含む。メモリ１１０５は、電子情報を記憶することが可能な任意の電子構成要素とすることができ得る。メモリ１１０５は、ランダムアクセスメモリ（ＲＡＭ）、読取り専用メモリ（ＲＯＭ）、磁気ディスク記憶メディア、光記憶メディア、ＲＡＭ中のフラッシュメモリデバイス、プロセッサに含まれるオンボードメモリ、ＥＰＲＯＭメモリ、ＥＥＰＲＯＭメモリ、レジスタなど、およびそれらの組合せとして実施され得る。
【００８２】
メモリ１１０５にデータ１１０７および命令１１０９を記憶し得る。命令１１０９は、本明細書で開示する方法を実装するためにプロセッサ１１０３によって実行可能であり得る。命令１１０９を実行することは、メモリ１１０５に記憶されたデータ１１０７の使用を含み得る。プロセッサ１１０３が命令１１０９を実行すると、命令１１０９ａの様々な部分がプロセッサ１１０３上にロードされ得、様々ないくつかのデータ１１０７ａがプロセッサ１１０３上にロードされ得る。
【００８３】
基地局１１０１はまた、基地局１１０１との間での信号の送信および受信を可能にするために、送信機１１１１と受信機１１１３とを含み得る。送信機１１１１と受信機１１１３とはトランシーバ１１１５と総称され得る。アンテナ１１１７はトランシーバ１１１５に電気的に結合され得る。基地局１１０１はまた、複数の送信機、複数の受信機、複数のトランシーバおよび／または追加のアンテナ（図示せず）を含み得る。
【００８４】
基地局１１０１の様々な構成要素は、パワーバス、制御信号バス、ステータス信号バス、データバスなどを含み得る、１つまたは複数のバスによって互いに結合され得る。明快のために、図１１では様々なバスはバスシステム１１１９として示してある。
【００８５】
本明細書に記載の技法は、直交多重化方式に基づく通信システムを含む様々な通信システムに使用され得る。そのような通信システムの例には、直交周波数分割多元接続（ＯＦＤＭＡ）システム、シングルキャリア周波数分割多元接続（ＳＣ−ＦＤＭＡ）システムなどがある。ＯＦＤＭＡシステムは、全システム帯域幅を複数の直交サブキャリアに区分する変調技法である、直交周波数分割多重（ＯＦＤＭ）を利用する。これらのサブキャリアは、トーン、ビンなどと呼ばれることもある。ＯＦＤＭでは、各サブキャリアはデータで独立して変調され得る。ＳＣ−ＦＤＭＡシステムは、システム帯域幅にわたって分散されたサブキャリア上で送信するためのインターリーブされたＦＤＭＡ（ＩＦＤＭＡ）、隣接するサブキャリアのブロック上で送信するための局所（localized）ＦＤＭＡ（ＬＦＤＭＡ）、または隣接するサブキャリアの複数のブロック上で送信するための拡張ＦＤＭＡ（ＥＦＤＭＡ）を利用し得る。一般に、変調シンボルは、ＯＦＤＭでは周波数領域で、ＳＣ−ＦＤＭＡでは時間領域で送られる。
【００８６】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【００８７】
「に基づいて」という句は、別段に明示されていない限り、「のみに基づいて」を意味しない。言い換えれば、「に基づいて」という句は、「のみに基づいて」と「に少なくとも基づいて」の両方を表す。
【００８８】
「プロセッサ」という用語は、汎用プロセッサ、中央処理装置（ＣＰＵ）、マイクロプロセッサ、デジタル信号プロセッサ（ＤＳＰ）、コントローラ、マイクロコントローラ、状態機械などを包含するものと広く解釈されたい。いくつかの状況下では、「プロセッサ」は、特定用途向け集積回路（ＡＳＩＣ）、プログラマブル論理デバイス（ＰＬＤ）、フィールドプログラマブルゲートアレイ（ＦＰＧＡ）などを指すことがある。「プロセッサ」という用語は、処理デバイスの組合せ、たとえば、ＤＳＰとマイクロプロセッサとの組合せ、複数のマイクロプロセッサ、ＤＳＰコアと連携する１つまたは複数のマイクロプロセッサ、あるいは他のそのような構成を指すことがある。
【００８９】
「メモリ」という用語は、電子情報を記憶することが可能な任意の電子構成要素を包含するものと広く解釈されたい。メモリという用語は、ランダムアクセスメモリ（ＲＡＭ）、読取り専用メモリ（ＲＯＭ）、不揮発性ランダムアクセスメモリ（ＮＶＲＡＭ）、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、フラッシュメモリ、磁気または光学データ記憶装置、レジスタなど、様々なタイプのプロセッサ可読媒体を指すことがある。プロセッサがメモリから情報を読み取り、および／または情報をメモリに書き込むことができる場合、メモリはプロセッサと電子的に通信していると言われる。プロセッサに一体化されたメモリは、プロセッサと電子通信している。
【００９０】
「命令」および「コード」という用語は、任意のタイプの（１つまたは複数の）コンピュータ可読ステートメントを含むものと広く解釈されたい。たとえば、「命令」および「コード」という用語は、１つまたは複数のプログラム、ルーチン、サブルーチン、関数、プロシージャなどを指すことができる。「命令」および「コード」は、単一のコンピュータ可読ステートメントまたは多くのコンピュータ可読ステートメントを備え得る。
【００９１】
本明細書で説明する機能は、ハードウェアによって実行されているソフトウェアまたはファームウェアで実装され得る。機能は、１つまたは複数の命令としてコンピュータ可読媒体上に記憶され得る。「コンピュータ可読媒体」や、「コンピュータプログラム製品」という用語は、コンピュータまたはプロセッサによってアクセスされ得る任意の有形記憶媒体を指す。限定ではなく例として、コンピュータ可読媒体は、ＲＡＭ、ＲＯＭ、ＥＥＰＲＯＭ、ＣＤ−ＲＯＭ、または他の光ディスク記憶デバイス、磁気ディスク記憶デバイスもしくは他の磁気記憶デバイス、あるいは命令またはデータ構造の形態で所望のプログラムコードを担持または記憶するために使用され得、コンピュータによってアクセスできる任意の他の媒体を備え得る。本明細書では、ディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、この場合、ディスク（disk）は、通常、データを磁気的に再生し、ディスク（disc）はデータをレーザで光学的に再生する。
【００９２】
本明細書で開示する方法は、説明した方法を達成するための１つまたは複数のステップまたはアクションを備える。本方法のステップおよび／またはアクションは、特許請求の範囲から逸脱することなく互いに交換され得る。すなわち、本明細書で説明する方法の適切な動作のためにステップまたはアクションの特定の順序が必要とされない限り、特定のステップおよび／またはアクションの順序および／または使用は、特許請求の範囲を逸脱することなく修正し得る。
【００９３】
さらに、図２および図６〜図７によって示されたものなど、本明細書で説明する方法および技法を実行するためのモジュールおよび／または他の適切な手段は、デバイスによってダウンロードおよび／または他の方法で取得され得ることを諒解されたい。たとえば、デバイスは、本明細書で説明する方法を実行するための手段の転送を可能にするために、サーバに結合され得る。代替的に、本明細書で説明する様々な方法は、記憶手段をデバイスに結合するかまたは与えるときにデバイスが様々な方法を獲得し得るように、記憶手段（たとえば、ランダムアクセスメモリ（ＲＡＭ）、読取り専用メモリ（ＲＯＭ）、コンパクトディスク（disc）（ＣＤ）またはフロッピーディスク（disk）などの物理的記憶媒体など）によって提供され得る。
【００９４】
特許請求の範囲は、上記の正確な構成および構成要素に限定されないことを理解されたい。特許請求の範囲の範囲を逸脱することなく、本明細書で説明するシステム、方法および装置の構成、動作および詳細において、様々な改変、変更および変形を行い得る。
以下に、本願の出願当初の特許請求の範囲を付記する。
［Ｃ１］
第１の基地局の自己同期のための方法であって、
第２の基地局から同期情報を受信することと、
前記受信された同期情報を使用して前記第２の基地局と同期することと、
を備える、方法。
［Ｃ２］
前記同期情報が同期ストラタム情報を備える、［Ｃ１］に記載の方法。
［Ｃ３］
前記同期情報が同期ステータス情報を備える、［Ｃ１］に記載の方法。
［Ｃ４］
１つまたは複数の基地局から同期情報を受信することであって、前記第２の基地局が前記１つまたは複数の基地局の一部である、同期情報を受信することと、
前記１つまたは複数の基地局の各々についてストラタムを判断することであって、各同期情報がストラタムを備える、ストラタムを判断することと、
最低ストラタムを有する前記第２の基地局を同期基地局として選択することと、
をさらに備える、［Ｃ１］に記載の方法。
［Ｃ５］
前記１つまたは複数の基地局の各々についてストラタムを判断することが、前記１つまたは複数の基地局の各々と全地球測位システム（ＧＰＳ）サーバとの間の中間同期ノードの数を判断することを備える、［Ｃ４］に記載の方法。
［Ｃ６］
前記第２の基地局の前記ストラタムに基づいて、前記第１の基地局について現在ストラタムを判断することをさらに備える、［Ｃ４］に記載の方法。
［Ｃ７］
協調無音期間中に送信を停止することをさらに備え、前記協調無音期間が前記同期情報を使用して協調させられ、前記協調無音期間が、同期情報を送信するために、前記現在ストラタムよりも小さいストラタムを有する基地局のために指定されたスロットを指す、［Ｃ６］に記載の方法。
［Ｃ８］
前記協調無音期間が、同期のための信号対干渉雑音比（ＳＩＮＲ）を改善するために観測される、［Ｃ７］に記載の方法。
［Ｃ９］
協調無音期間中に前記現在ストラタムを送信することをさらに備え、前記協調無音期間が、同期信号を送信するために前記現在ストラタムに等しいかまたはそれよりも小さいストラタムを有する基地局のために設計されたスロットを指す、［Ｃ６］に記載の方法。
［Ｃ１０］
前記同期情報が１つまたは複数の基地局からワイヤレスに受信される、［Ｃ１］に記載の方法。
［Ｃ１１］
前記同期情報がシステム情報メッセージ中にある、［Ｃ１０］に記載の方法。
［Ｃ１２］
前記同期情報がマスタ情報ブロック（ＭＩＢ）を通して搬送される、［Ｃ１０］に記載の方法。
［Ｃ１３］
前記同期情報がシステム情報ブロック（ＳＩＢ）を通して搬送される、［Ｃ１０］に記載の方法。
［Ｃ１４］
前記第２の基地局のストラタムが前記ＭＩＢの予約済みビット中で搬送される、［Ｃ１０］に記載の方法。
［Ｃ１５］
前記同期情報が、ロングタームエボリューション（ＬＴＥ）において使用される物理ダウンリンク制御チャネル（ＰＤＣＣＨ）上でシグナリングされる、［Ｃ１０］に記載の方法。
［Ｃ１６］
前記同期情報が、ロングタームエボリューション（ＬＴＥ）において使用される物理ダウンリンク共有チャネル（ＰＤＳＣＨ）上でシグナリングされる、［Ｃ１０］に記載の方法。
［Ｃ１７］
前記同期情報がモビリティ管理エンティティ（ＭＭＥ）に記憶される、［Ｃ１］に記載の方法。
［Ｃ１８］
前記同期情報がバックホールを介して１つまたは複数の基地局から受信される、［Ｃ１］に記載の方法。
［Ｃ１９］
前記同期情報がＳ１インターフェースを介してシグナリングされる、［Ｃ１８］に記載の方法。
［Ｃ２０］
前記同期情報がＸ２インターフェースを介してシグナリングされる、［Ｃ１８］に記載の方法。
［Ｃ２１］
前記同期情報がホーム進化型ノードＢ（ＨｅＮＢ）管理サーバ（ＨＭＳ）に記憶される、［Ｃ１８］に記載の方法。
［Ｃ２２］
前記受信された同期情報を使用して前記第２の基地局と同期することが、前記同期基地局のタイミングに一致するように前記基地局のタイミングを調整することを備える、［Ｃ１］に記載の方法。
［Ｃ２３］
前記同期基地局の前記同期情報を周期的に監視することをさらに備える、［Ｃ１］に記載の方法。
［Ｃ２４］
前記第１の基地局がマクロ基地局である、［Ｃ１］に記載の方法。
［Ｃ２５］
前記第１の基地局がホーム進化型ノードＢ（ＨｅＮＢ）である、［Ｃ１］に記載の方法。
［Ｃ２６］
前記同期基地局がマクロ基地局である、［Ｃ１］に記載の方法。
［Ｃ２７］
前記同期基地局がホーム進化型ノードＢ（ＨｅＮＢ）である、［Ｃ１］に記載の方法。
［Ｃ２８］
前記同期情報が１次同期信号（ＰＳＳ）に結合される、［Ｃ１］に記載の方法。
［Ｃ２９］
前記同期情報が２次同期信号（ＳＳＳ）に結合される、［Ｃ１］に記載の方法。
［Ｃ３０］
同期情報を搬送するための方法であって、
現在ストラタムを判断することと、
前記現在ストラタムに基づいて第１の協調無音期間と第２の協調無音期間とを判断することと、
前記第１の協調無音期間中に同期情報を送信することと、
を備える、方法。
［Ｃ３１］
前記第２の協調無音期間中に送信を停止することをさらに備える、［Ｃ３０］に記載の方法。
［Ｃ３２］
前記同期情報が同期ストラタム情報を備える、［Ｃ３０］に記載の方法。
［Ｃ３３］
前記同期情報が同期ステータス情報を備える、［Ｃ３０］に記載の方法。
［Ｃ３４］
前記同期情報が１つまたは複数の基地局からワイヤレスに受信される、［Ｃ１］に記載の方法。
［Ｃ３５］
前記同期情報がシステム情報メッセージ中にある、［Ｃ３４］に記載の方法。
［Ｃ３６］
前記同期情報がマスタ情報ブロック（ＭＩＢ）を通して搬送される、［Ｃ３４］に記載の方法。
［Ｃ３７］
前記同期情報がシステム情報ブロック（ＳＩＢ）を通して搬送される、［Ｃ３４］に記載の方法。
［Ｃ３８］
前記第２の基地局のストラタムが前記ＭＩＢの予約済みビット中で搬送される、［Ｃ３４］に記載の方法。
［Ｃ３９］
前記同期情報が、ロングタームエボリューション（ＬＴＥ）において使用される物理ダウンリンク制御チャネル（ＰＤＣＣＨ）上でシグナリングされる、［Ｃ３４］に記載の方法。
［Ｃ４０］
前記同期情報が、ロングタームエボリューション（ＬＴＥ）において使用される物理ダウンリンク共有チャネル（ＰＤＳＣＨ）上でシグナリングされる、［Ｃ３４］に記載の方法。
［Ｃ４１］
自己同期のために構成されたワイヤレスデバイスであって、
プロセッサと、
前記プロセッサと電子通信しているメモリと、
前記メモリに記憶された命令であって、前記命令が、
第２の基地局から同期情報を受信することと、
前記受信された同期情報を使用して前記第２の基地局と同期することと、
を行うように前記プロセッサによって実行可能である命令と、
を備える、ワイヤレスデバイス。
［Ｃ４２］
前記同期情報が同期ストラタム情報を備える、［Ｃ４１］に記載のワイヤレスデバイス。
［Ｃ４３］
前記同期情報が同期ステータス情報を備える、［Ｃ４１］に記載のワイヤレスデバイス。
［Ｃ４４］
前記命令が、
１つまたは複数の基地局から同期情報を受信することであって、前記第２の基地局が前記１つまたは複数の基地局の一部である、同期情報を受信することと、
前記１つまたは複数の基地局の各々についてストラタムを判断することであって、各同期情報がストラタムを備える、ストラタムを判断することと、
最低ストラタムを有する前記第２の基地局を同期基地局として選択することと、
を行うようにさらに実行可能である、［Ｃ４１］に記載のワイヤレスデバイス。
［Ｃ４５］
前記１つまたは複数の基地局の各々についてストラタムを判断することが、前記１つまたは複数の基地局の各々と全地球測位システム（ＧＰＳ）サーバとの間の中間同期ノードの数を判断することを備える、［Ｃ４４］に記載のワイヤレスデバイス。
［Ｃ４６］
前記命令が、前記第２の基地局の前記ストラタムに基づいて前記第１の基地局について現在ストラタムを判断するようにさらに実行可能である、［Ｃ４４］に記載のワイヤレスデバイス。
［Ｃ４７］
前記命令が、協調無音期間中に送信を停止するようにさらに実行可能であり、前記協調無音期間が前記同期情報を使用して協調させられ、前記協調無音期間が、同期情報を送信するために、前記現在ストラタムよりも小さいストラタムを有する基地局のために指定されたスロットを指す、［Ｃ４６］に記載のワイヤレスデバイス。
［Ｃ４８］
同期情報を搬送するために構成されたワイヤレスデバイスであって、
プロセッサと、
前記プロセッサと電子通信しているメモリと、
前記メモリに記憶された命令であって、前記命令が、
現在ストラタムを判断することと、
前記現在ストラタムに基づいて第１の協調無音期間と第２の協調無音期間とを判断することと、
前記第１の協調無音期間中に同期情報を送信することと、
を行うように前記プロセッサによって実行可能である命令と、
を備える、ワイヤレスデバイス。
［Ｃ４９］
自己同期のために構成されたワイヤレスデバイスであって、
基地局から同期情報を受信するための手段と、
前記受信された同期情報を使用して前記基地局と同期するための手段と、
を備える、ワイヤレスデバイス。
［Ｃ５０］
第１の基地局の自己同期のためのコンピュータプログラム製品であって、前記コンピュータプログラム製品がその上に命令を有するコンピュータ可読媒体を備え、前記命令が、
第２の基地局から同期情報を受信するためのコードと、
前記受信された同期情報を使用して前記第２の基地局と同期するためのコードと、
を備える、コンピュータプログラム製品。
［Ｃ５１］
同期情報を搬送するために構成されたワイヤレスデバイスであって、
現在ストラタムを判断するための手段と、
前記現在ストラタムに基づいて第１の協調無音期間と第２の協調無音期間とを判断するための手段と、
前記第１の協調無音期間中に同期情報を送信するための手段と、
を備える、ワイヤレスデバイス。
［Ｃ５２］
第１の基地局の自己同期のためのコンピュータプログラム製品であって、前記コンピュータプログラム製品がその上に命令を有するコンピュータ可読媒体を備え、前記命令が、
現在ストラタムを判断するためのコードと、
前記現在ストラタムに基づいて第１の協調無音期間と第２の協調無音期間とを判断するためのコードと、
前記第１の協調無音期間中に同期情報を送信するためのコードと、
を備える、コンピュータプログラム製品。
【図１】
0005579826.tif 000002
【図２】
0005579826.tif 000003
【図３】
0005579826.tif 000004
【図４】
0005579826.tif 000005
【図５】
0005579826.tif 000006
【図６】
0005579826.tif 000007
【図７】
0005579826.tif 000008
【図８】
0005579826.tif 000009
【図９】
0005579826.tif 000010
【図１０】
0005579826.tif 000011
【図１１】
0005579826.tif 000012